(57)【特許請求の範囲】
【請求項１】
紙葉類の綴じ元側の縁部に沿って配置される基板部と、基端部を基板部に取り付けるように構成した複数の綴じ足と、前記基板部との間に紙葉類を挟み込むとともにその一部に挿通させた前記綴じ足を折り曲げることにより綴じ足を係止する綴じ足係止部とを具備し、綴じ足の基端部の取付位置を変更可能にして、綴じ足の有効長さを伸縮可能とし、
基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているものであって、
前記綴じ足の基端に係合溝を設けて一の取付孔の開口縁に係り合わせるようにするとともに、前記綴じ足の基端部を弾性変形可能なものとし、前記基端部を弾性変形させることにより前記取付孔から取り外すことを可能に構成していることを特徴とする綴じ具。
【請求項２】
紙葉類の綴じ元側の縁部に沿って配置される基板部と、基端部を基板部に取り付けるように構成した複数の綴じ足と、前記基板部との間に紙葉類を挟み込むとともにその一部に挿通させた前記綴じ足を折り曲げることにより綴じ足を係止する綴じ足係止部とを具備し、綴じ足の基端部の取付位置を変更可能にして、綴じ足の有効長さを伸縮可能とし、
基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているものであって、
前記綴じ足の基端部に舌片を設け、この舌片を前記取付孔のいずれかに挿し通してこの舌片と綴じ足本体とにより前記基板部を挟み込むようにしていること特徴とする綴じ具。
【請求項３】
紙葉類の綴じ元側の縁部に沿って配置される基板部と、基端部を基板部に取り付けるように構成した複数の綴じ足と、前記基板部との間に紙葉類を挟み込むとともにその一部に挿通させた前記綴じ足を折り曲げることにより綴じ足を係止する綴じ足係止部とを具備し、綴じ足の基端部の取付位置を変更可能にして、綴じ足の有効長さを伸縮可能とし、
基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているものであって、
前記綴じ足の基端部を拡開させて設けるとともに、前記取付孔が略Ｔ字状をなし、この取付孔が綴じ足の基端部を挿し通す綴じ足取付部とこの綴じ足取付部の略中央から綴じ足取付部と垂直に延び綴じ足の基端部を係り合わせる係合部とを有することを特徴とする綴じ具。
【請求項４】
前記綴じ足の基端部が板状をなすとともに、前記綴じ足取付部を前記綴じ足の基端部の面板部より小さくし、前記綴じ足の基端部の面板部が前記綴じ足取付部に重合した状態でこの綴じ足取付部を通過し得ないように構成していることを特徴とする請求項３記載の綴じ具。
【請求項５】
紙葉類の綴じ元側の縁部に沿って配置され、前記綴じ足係止部を固定可能に構成した押さえ板部をさらに具備していることを特徴とする請求項１、２、３又は４記載の綴じ具。
【請求項６】
請求項１、２、３、４又は５に記載の綴じ具を使用したものであって、表表紙と裏表紙とを具備し、前記基板部を表表紙又は裏表紙のいずれか一方に設けているとともに、前記綴じ足係止部を他方に固定可能に構成していることを特徴とするファイル。
【請求項７】
請求項５に記載の綴じ具を使用したものであって、表表紙と裏表紙とを具備し、表表紙と裏表紙とのいずれか一方に前記基板部を、他方に前記押さえ板部をそれぞれ設けていることを特徴とするファイル。
【請求項８】
表表紙又は裏表紙のいずれか一方を折り込んで前記基板部を設けるとともに、他方を折り込んで前記押さえ板部を設け、紙葉類をこれら基板部と押さえ板部とにより挟み込むようにしていることを特徴とする請求項７記載のファイル。
【請求項９】
表表紙又は裏表紙のいずれか一方と一体に背表紙を設けるとともに、他方を綴じ元側に開口する袋体状のものにしてこの背表紙を挿入可能にし、背表紙の幅を調整可能にしていることを特徴とする請求項６、７又は８記載のファイル。
【請求項１０】
請求項１、２、３、４又は５に記載の綴じ具を使用したものであって、表表紙と裏表紙と背表紙とを具備し、前記基板部を背表紙の裏側から内方に突出させて設けていることを特徴とするファイル。
【発明の詳細な説明】
【０００１】
【発明の属する技術分野】
本発明は、綴じ足の有効長さを伸縮可能にした綴じ具及びこの綴じ具を用いたファイルに関する。
【０００２】
【従来の技術】
従来、紙葉類を挟み込む綴じ具としては、図１７に示すように、予め綴じ足ａの基端部ａ１を紙葉類の綴じ元側の縁部に沿って配置した基板部ｃに固定してあり、綴じ足ａを紙葉類に挿し通して綴じ足係止部ｂにより綴じ足ａを固定するようにしている構成のものが広く用いられている。
【０００３】
このとき、綴じ足を固定した際の綴じ足の向きは、前記縁部に直交する向きのものと、前記縁部に沿う向きのものとがある。
【０００４】
【発明が解決しようとする課題】
しかし、綴じ足を固定した際の綴じ足が前記縁部に直交する向きである場合、綴じたままの状態では綴じ足が書類等を見開き状態にする際に邪魔になる。
【０００５】
一方、綴じ足を固定した際の綴じ足が前記縁部に沿う向きとすると、挟み込む紙葉類の量によっては、紙葉類から綴じ足がはみ出して著しく見栄えが悪くなり、また収納等の際邪魔になる場合がある。
【０００６】
この不具合を単純に解消するために、基端を連結した２本の綴じ足を用意し、挟み込む紙葉類の量が少ないうちは連結状態のままでこの綴じ足の先端部を紙葉類に挿し通して綴じるようにし、挟み込む紙葉類の量が増えた段階で綴じ足の基端の連結部を切断して、切断の結果分離した２本の綴じ足の基端部をそれぞれ基板部に係り合わせるようにする構成が考えられている。
【０００７】
しかし、このような構成では、一度切断した綴じ足は二度と元の形状に戻すことはできず、従って挟み込む紙葉類の量が減ってもこの２本の綴じ足をそのまま用いると紙葉類から綴じ足がはみ出してしまう不具合が発生してしまう。
【０００８】
そこで本発明は以上に述べた問題を解決し、綴じ足の基端部の取付位置を選択可能にし、挟み込む紙葉類の量及び綴じ足を固定した際の綴じ足の向きに関わらず使い勝手を良くするべく構成したものである。
【０００９】
【課題を解決するための手段】
すなわち本発明に係る綴じ具の一つは、紙葉類の綴じ元側の縁部に沿って配置される基板部と、基端部を基板部に取り付けるように構成した複数の綴じ足と、前記基板部との間に紙葉類を挟み込むとともにその一部に挿通させた前記綴じ足を折り曲げることにより綴じ足を係止する綴じ足係止部とを具備し、綴じ足の基端部の取付位置を変更可能にして、綴じ足の有効長さを伸縮可能とし、基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているものであって、前記綴じ足の基端に係合溝を設けて一の取付孔の開口縁に係り合わせるようにするとともに、前記綴じ足の基端部を弾性変形可能なものとし、前記基端部を弾性変形させることにより前記取付孔から取り外すことを可能に構成していることを特徴とする。ここにいう伸縮可能とは、一旦延長した後再び元の短い状態に戻すこと等を含むものである。
【００１０】
このようなものであれば、綴じ足の有効長さを伸縮可能としているので、紙葉類を綴じこむのに十分なだけ確保しつつ紙葉類からはみ出さないようにして見栄えをよくし、かつ収納等の際邪魔にならないように綴じ足の有効長さを調整することができるので、挟み込む紙葉類の量及び綴じ足を固定した際の綴じ足の向きに関わらず使い勝手の向上を図ることができる。ここで、「紙葉類」とは、紙だけではなく、クリアーファイル等を含む概念である。
【００１１】
また、基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているので、簡単な構成で綴じ足の有効長さを伸縮可能にすることができる。なお、「基端部を前記取付孔から抜出させて他の取付孔に係り合わせた取付位置」においては、必ずしも綴じ足の先端側をさらに他の取付孔に挿し通す必要はない。
【００１２】
加えて、前記綴じ足の基端に係合溝を設けて一の取付孔の開口縁に係り合わせるようにするとともに、前記綴じ足の基端部を弾性変形可能なものとし、前記基端部を弾性変形させることにより前記取付孔から取り外すことを可能に構成しているので、簡単な操作により綴じ足の有効長さを伸縮できる。
【００１３】
前記基端部を弾性変形させて係合溝と取付孔との係り合わせを解除するには、前記基端部をつまんで綴じ足を引くだけでよいからである。
【００１４】
また、本発明に係る綴じ具の他の一つは、紙葉類の綴じ元側の縁部に沿って配置される基板部と、基端部を基板部に取り付けるように構成した複数の綴じ足と、前記基板部との間に紙葉類を挟み込むとともにその一部に挿通させた前記綴じ足を折り曲げることにより綴じ足を係止する綴じ足係止部とを具備し、綴じ足の基端部の取付位置を変更可能にして、綴じ足の有効長さを伸縮可能とし、基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているものであって、前記綴じ足の基端部に舌片を設け、この舌片を前記取付孔のいずれかに挿し通してこの舌片と綴じ足本体とにより前記基板部を挟み込むようにしていることを特徴とする。
このようなものであっても、綴じ足の有効長さを伸縮可能としているので、紙葉類を綴じこむのに十分なだけ確保しつつ紙葉類からはみ出さないようにして見栄えをよくし、かつ収納等の際邪魔にならないように綴じ足の有効長さを調整することができるので、挟み込む紙葉類の量及び綴じ足を固定した際の綴じ足の向きに関わらず使い勝手の向上を図ることができる。
また、基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているので、簡単な構成で綴じ足の有効長さを伸縮可能にすることができる。
そして、舌片を設けるようにしたので、この舌片が取付孔をすり抜けにくくでき、従ってより確実に基板に綴じ足の基端部を取り付けることができる。
【００１５】
加えて、本発明に係る綴じ具のさらに他の一つは、紙葉類の綴じ元側の縁部に沿って配置される基板部と、基端部を基板部に取り付けるように構成した複数の綴じ足と、前記基板部との間に紙葉類を挟み込むとともにその一部に挿通させた前記綴じ足を折り曲げることにより綴じ足を係止する綴じ足係止部とを具備し、綴じ足の基端部の取付位置を変更可能にして、綴じ足の有効長さを伸縮可能とし、基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているものであって、前記綴じ足の基端部を拡開させて設けるとともに、前記取付孔が略Ｔ字状をなし、この取付孔が綴じ足の基端部を挿し通す綴じ足取付部とこの基端部取付部の略中央から基端部取付部と垂直に延び基端部を係り合わせる係合部とを有することを特徴とする。
このようなものであっても、綴じ足の有効長さを伸縮可能としているので、紙葉類を綴じこむのに十分なだけ確保しつつ紙葉類からはみ出さないようにして見栄えをよくし、かつ収納等の際邪魔にならないように綴じ足の有効長さを調整することができるので、挟み込む紙葉類の量及び綴じ足を固定した際の綴じ足の向きに関わらず使い勝手の向上を図ることができる。
また、基板部に取付孔を複数設けるとともに、前記綴じ足を、基端部を一の取付孔に抜出しえないように係り合わせ他の取付孔に先端側を挿し通した取付位置と、基端部を前記取付孔から抜出させて他の取付孔に係り合わせた取付位置とに選択的に取り付け得るようにしているので、簡単な構成で綴じ足の有効長さを伸縮可能にすることができる。
そして、前記綴じ足の基端部を幅方向に拡開させているとともに、前記取付孔が略Ｔ字状をなすので、綴じ足の基端部を綴じ足取付部を挿し通すようにして取り付け、さらに係合部に沿って移動させることで前記綴じ足の基端部が抜けにくくなり、従ってより確実に基板に綴じ足の基端部を取り付けることができる。
【００１６】
さらに確実に綴じ足が抜けないようにするには、前記綴じ足の基端部が板状をなすとともに、前記綴じ足取付部を前記綴じ足の基端部の面板部より小さくし、前記綴じ足の基端部の面板部が前記綴じ足取付部に重合した状態でこの綴じ足取付部を通過し得ないように構成すればよい。このようにすれば前記綴じ足の基端部の面板部と前記綴じ足取付部とが重合しても前記綴じ足の基端部が前記綴じ足取付部を通過不可能であるので前記綴じ足の基端部が綴じ足取付部をすり抜けにくいからである。
【００１７】
紙葉類をより確実に綴じるようにするには、紙葉類の綴じ元側の縁部に沿って配置され、前記綴じ足係止部を固定可能に構成した押さえ板部をさらに具備させればよい。前記基板部とこの押さえ板部とにより紙葉類の両面の綴じ元側の縁部全体を押さえるようにできるからである。
【００１８】
このような構成の綴じ具の一使用態様として、表表紙と裏表紙とを具備し、前記基板部を表表紙又は裏表紙のいずれか一方に設けるとともに、前記綴じ足係止部を他方に固定可能に構成したファイルを挙げることができる。
【００１９】
また、表表紙と裏表紙とを具備し、表表紙と裏表紙とのいずれか一方に前記基板部を、他方に前記押さえ板部をそれぞれ設けているファイルもこのような構成の綴じ具の一使用態様として挙げることができる。
【００２０】
表表紙又は裏表紙のいずれか一方を折り込んで前記基板部を設けるとともに、他方を折り込んで前記押さえ板部を設け、紙葉類をこれら基板部と押さえ板部とにより挟み込むようにしているものであれば、ファイルとしての使用状態において綴じ足の基端部や綴じ足係止部等を表面に露出しないようにでき、外観を整えるとともに表表紙及び裏表紙により綴じ足の基端部や綴じ足係止部等に好ましくない外力がかかることを防止できる。
【００２１】
このように綴じこむ紙葉類の量に応じて綴じ足の有効長さを伸縮できる綴じ具を用いたファイルに効果的に背表紙を設けるには、表表紙又は裏表紙のいずれか一方と一体に背表紙を設けるとともに、他方にこの背表紙を挿入可能にして背表紙の幅を調整可能にすればよい。このようにすれば、綴じこむ紙葉類の量に応じて背表紙の挿入量を調整することにより背表紙の幅を調整することができるからである。
【００２２】
さらに、上述したような情勢の綴じ具を用いたファイルの構成の他の一例として、表表紙と裏表紙と背表紙とを具備し、前記基板部を背表紙の裏側から内方に突出させて設けているものも挙げることができる。
【００２３】
【発明の実施の形態】
以下、本発明の一実施形態について、図面を参照して説明する。
【００２４】
本実施形態に係る綴じ具１を用いたファイルＦは、図１及び図２に示すように、表表紙２と、表表紙２の一端を折り込んで設けた細長い板状をなす押さえ板部３と、この押さえ板部３からさらに表表紙２と反対側に折り込んで設けた背表紙４と、表表紙２とは分離した裏表紙５と、裏表紙５の一端を折り込んで設けた細長い板状をなす基板部６と、基端部７２を基板部６に取り付けてその先端部を紙葉類Ｐに挿し通すようにした１対の綴じ足７と、前記基板部６の長手方向に延びる形状をなし前記綴じ足７を挿通させて係止するように構成した綴じ足係止部８とを具備する。なお、図１及び図２において、紙葉類Ｐは想像線で示す。
【００２５】
表表紙２と、押さえ板部３と、背表紙４とは、１枚の紙Ｓ１を折り込んで形成してあり、折り込み部分を押さえ板部３とし、この押さえ板部３を挟んで表表紙２と背表紙４とを配置するようにしている。
【００２６】
一方、裏表紙５と基板部６とは、１枚の紙Ｓ２の端部を折り込んで形成してあり、折り込み部分を基板部６としている。さらに、裏表紙５を構成する部分を折り返して綴じ元側に開口する袋体状のものにし、前記背表紙４を挿入可能な背表紙挿入部５ａを形成してある。
【００２７】
綴じ足７は、図３に示すように基端部７２から綴じ足本体７１を延ばして形成している。前記基端部７２は、幅方向に略Ｔ字状に拡開する形状を有する板状のものである。前記綴じ足本体７１は、横断面が略半円状をなし、一側面の一部に所定ピッチで溝７１ａを設けている。一方、図１に示すように、基板部６には、綴じ足７を挿通させ、また係止する役割を果たす取付孔６ａ、６ｂを複数対、ここでは２対設けている。この２対の取付孔６ａ、６ｂのうち、内側に位置する１対の内取付孔６ａから綴じ足本体７１を表表紙２に向けて挿し通すようにしている。この内取付孔６ａは、綴じ足本体７１のみを挿し通すことが可能な幅及び高さ寸法を有する。一方、外側に位置する外取付孔６ｂは、基板部６の長手方向に延びる矩形状をなし、その長辺は前記綴じ足７の基端部７２の幅寸法よりも大きく、短辺は前記綴じ足７の基端部７２の幅寸法よりも小さい。すなわち、綴じ足７を紙葉類の綴じ元側の縁部ＰＳに沿って外取付孔６ｂに挿し通すとその基端部７２が外取付孔６ｂの位置に係止される。そして前記基端部７２をひねることにより、外取付孔６ｂを前記基端部７２が通過できるようにしている。すなわち、綴じ足７を基板部６から引き抜かずに基板部６への取り付け位置を変更可能にしている。
【００２８】
さらに、押さえ板部３には、前記内取付孔６ａと重合する位置に綴じ足７を挿通させる１対の上挿通孔３ａを設けている。そして、この押さえ板部３には、止め具３１及び止め具取付孔３ｂを介して前記綴じ足係止部８を取り付けている。
【００２９】
この綴じ足係止部８は、図４及び図５に示すように、１対のスライダ８１を互いに抱き合わせるように係り合わせて構成している。このスライダ８１には、綴じ足７を挿通させる綴じ足挿通孔８１ａと、前記止め具３１とスライド可能かつ脱落し得ないように掛かり合わせている長孔８１ｂと、開放つまみ８１１と、閉止つまみ８１２とをそれぞれ１つずつ設けている。より具体的には、それぞれのスライダ８１の一端部には、開放つまみ８１１が設けてあり、他端部はベース部８１３を形成している。前記開放つまみ８１１の下端部の両端に爪を設け、この爪で他方のスライダ８１のベース部８１３と抱き合わせるように係り合わせている。そして、両開放つまみ８１１を相寄る方向に引き寄せることによって両スライダ８１を綴じ足を開放し得る図４の方向へ相対移動させるようにしている。また、前記ベース部８１３からは、幅方向の片側半分だけを開放つまみ８１１に向けて延ばして案内部８１４を形成している。そして１対のスライダ８１の案内部８１４の内面同士が向かい合うようにしてある。一方、この案内部８１４の略中央部には閉止つまみ８１２が形成してある。この閉止つまみ８１２は他方のスライダ８１をまたぐ形状をなし、両閉止つまみ８１２を相寄る方向に引き寄せることによって開放つまみ８１１が前記綴じ足挿通孔８１ａと重合する図５の位置に移動して綴じ足７が図１に示す係止位置Ｓに係止されるようにしている。加えて、ベース部８１３には、縁部に沿って折り曲げた綴じ足７を収納する溝８１３ａが設けてある。
【００３０】
しかして、本実施形態では、綴じ足７の基端部７２の取付位置を変更可能に構成して、綴じ足７の有効長さを伸縮可能にしている。より具体的には、挟み込む紙葉類Ｐの量が少ない場合には、図１及び図６の実線に示すように綴じ足７を前記外取付孔６ｂに裏表紙５に向けて挿し通してから隣接する前記内取付孔６ａに表表紙２に向けて挿し通すようにしている一方、挟み込む紙葉類Ｐの量が多い場合には、図１及び図６の想像線に示すように綴じ足７を前記内取付孔６ａに表表紙２に向けて挿し通し、綴じ足７の基端部７２をこの内取付孔６ａに係り合わせるようにしている。すなわち、綴じ足７の基端部７２の取付位置を前記内取付孔６ａと前記外取付孔６ｂとの間で選択的に変更可能にしている。そして、これらの状態間の切り替えは、綴じ足７の基端部７２をひねって前記外取付孔６ｂに係り合わせ、また係り合いを解除させることにより行うようにしている。なお、図６において紙葉類は省略して示している。
【００３１】
このファイルＦは以下のようにして使用する。
【００３２】
まず、図１及び図２に示すように、紙葉類Ｐの量が少ないときは綴じ足７の基端部７２を外取付孔６ｂに係り合わせた状態にして綴じ足７の有効長さを短くしておく。次いで、紙葉類Ｐの２穴パンチ等による挿通孔ＰＨに綴じ足本体７１を挿し通す。紙葉類Ｐの量が多くなったときには、綴じ足７の基端部７２と外取付孔６ｂとの係り合わせを解除して綴じ足本体７１を繰り出し、前記基端部７２を内取付孔６ａに係り合わせた状態にして綴じ足７の有効長さを長くする。その後、綴じ足係止部８の綴じ足挿通孔８１ａに綴じ足本体７１を挿し通し、両閉止つまみ８１２を相寄る方向に引き寄せて綴じ足７を係止位置Ｓに係止する。綴じ足７を係止した状態の平面図を図７に示す。また、紙葉類Ｐを取り出す際には、綴じ足係止部８の両開放つまみ８１１を相寄る方向に引き寄せて綴じ足７の係止を解除する。そして、紙葉類Ｐの量が再び少なくなったときには、綴じ足本体７１を引き込んで再び綴じ足７の基端部７２を外取付孔６ｂに係り合わせた状態にして綴じ足７の有効長さを元の短い状態に戻す。
【００３３】
このように構成することで、綴じ足７の基端部７２の取付位置を前記内取付孔６ａと前記外取付孔６ｂとの間で選択的に変更して前記内取付孔６ａと前記外取付孔６ｂとの間の距離分だけ綴じ足７の有効長さを延長したり、元の長さに短縮したりすることを、綴じ足７を引き抜くことなく簡単に行うことができる。このことにより、綴じ足７の有効長さを紙葉類Ｐを綴じこむのに十分なだけ確保しつつ紙葉類Ｐからはみ出さないようにして見栄えをよくし、かつ収納等の際邪魔にならないようにすることができ、さらに、挟み込む紙葉類の量及び綴じ足を固定した際の綴じ足の向きに関わらず使い勝手の向上を図ることができる。
【００３４】
特に、綴じ足７の基端部７２を拡開させた形状にしているので、綴じ足７の基端部７２は簡易かつ小さくできる。
【００３５】
さらに、押さえ板部３を具備しているので、この押さえ板部３と前記基板部６とにより紙葉類Ｐの綴じ元側の縁部ＰＳを挟み込んでより確実なつ効果的に押さえることができる。
【００３６】
また、基板部６を裏表紙５を折り込んで設けるとともに、さらに綴じ足係止部８を表表紙２に固定しているので、少ない部品点数でこのような綴じ具１をファイルＦに使用することができる。
【００３７】
さらに、基板部６を裏表紙５を折り込んで設けるとともに、押さえ板部３を表表紙２を折り込んで設け、これら基板部６と押さえ板部３とにより紙葉類を挟み込むようにしているので、部品点数を少なくしつつ効果的に紙葉類を挟み込むことができる。
【００３８】
そして、裏表紙５を折り込んで基板部６を設けるとともに、表表紙２を折り込んで押さえ板部３を設けているので、これら基板部６及び押さえ板部３が表表紙２及び裏表紙５に保護されて外部に露出しなくなり、外観を整えることできる。
【００３９】
加えて、表表紙２と背表紙４を一体に設け、裏表紙５に背表紙４を挿入可能にして背表紙４の幅を調整可能にしているので、紙葉類の量に応じて背表紙４の幅を調整して書類棚などに占めるスペースを節約できる。
【００４１】
ここで、本発明に係る綴じ具について、図面を参照して説明する。
【００４２】
本発明に係る綴じ足の一つは、図８に示すような綴じ足７’である。この綴じ足７’は、上述した実施形態に係る綴じ足７と同様に、基端部７２’から綴じ足本体７１’を延ばして形成している。前記基端部７２’は、一対のつまみ７２２’の一端を樹脂ヒンジ７２１’で連結して弾性変形可能に構成してあり、各つまみの背向する側面に係合溝７２ａ’を設けている。一方、綴じ足本体７１’は、横断面が略半円状をなし、一側面の一部に所定ピッチで溝７１ａ’を設けている。このように構成した場合、前記つまみ７２２’を相寄る方向に引き寄せるようにつまんで係合溝７２ａ’と外取付孔６ｂの開口縁との係り合せを解除し、綴じ足本体７１を先端側に繰り出すことにより図９の想像線に示す状態にし、また綴じ足本体７１を引き込み、さらに外取付孔６ｂの開口縁に再び係り合せて図９の実線に示す状態に戻すようにすることを簡単に行うことができる。従って綴じ足７の有効長さを簡単に調整できる。この場合も、取付孔を３対以上設けて綴じ足の有効長さを３段階以上に伸縮できるようにしてももちろんよい。なお、図９において紙葉類は省略して示している。
【００４３】
本発明に係る綴じ足の他の一つは、図１０に示すような綴じ足７”である。この綴じ足７”は、側面視略Ｔ字状をなし、綴じ足本体７１”の基端から略直交する方向に舌片７２３”、この舌片７２３”と反対方向に操作片７２４”を延ばして設け、基端部７２”を形成している。一方、前記綴じ足本体７１”は、横断面が略半円状をなし、一側面の一部に所定ピッチで溝７１ａ”を設けている。前記綴じ足本体７１”と前記基端部７２”との境界には、ヒンジ７ａ’が形成されている。そして、図１１の実線に示すように、紙葉類の量が少ないときは前記基板部６に３対設けた取付孔６ａ、６ｂ、６ｃのうち最も外側に位置する外取付孔６ｂに舌片７２３”を挿し通してこの舌片７２３”と綴じ足本体７１”とにより前記基板部６を挟み込むとともに、綴じ足本体７１”をこの外取付孔６ｂに隣接する中取付孔６ｃに挿し通し、さらに最も内側に位置する内取付孔６ａに綴じ足本体７１”を挿し通すようにする。紙葉類の量が多くなったときは、前記操作片７２４”を引いて前記舌片７２３”を前記外取付孔６ｂに挿し通して前記中取付孔６ｃから取り出し、綴じ足本体７１”を繰り出すことにより図１１の想像線に示す状態にして、前記基端部７２”を内取付孔６ａに係合させて綴じ足７”の有効長さを延長する。さらに紙葉類の量が再び少なくなったときは、図１１の想像線に示す状態から前記操作片７２４”を操作して基端部７２”を前記中取付孔６ｃ及び前記外取付孔６ｂに順次挿し通し、図１１の実線に示す状態に戻して綴じ足７”の有効長さを再び短縮する。このように構成することにより、操作片７２４”の操作によって綴じ足７”の有効長さの伸縮を簡便に行うことができる。もちろん、取付孔を４対以上設けて綴じ足の有効長さを３段階以上に伸縮できるようにしてもよい。なお、図１１において紙葉類は省略して示している。
【００４４】
本発明に係る綴じ足のさらに他の一つは、図１２に示すような綴じ足７０である。この綴じ足７０は、綴じ足本体７０１の基端から略直交する方向に基端部７０２を延ばして設け、全体としてＴ字状をなす。そして、この綴じ足７０を、図１３に示すように略Ｔ字状に構成した外取付孔６ｘと上述した実施形態と同様に構成した内取付孔６ａとに選択的に係り合わせるようにしてもよい。前記外取付孔６ｘは、Ｔ字状をなし、綴じ足取付部６ｘ１と係合部６ｘ２とを備えている。具体的には、綴じ足取付部６ｘ１の中央部からこの綴じ足取付部６ｘ１と直交し、内取付孔６ａに向かう方向に係合部６ｘ２を延ばして設けている。また、前記綴じ足取付部６ｘ１は、前記綴じ足７０の基端部７０２と略同一の形状をなす。このような綴じ足７０と外取付孔６ｘとを用いて、綴じ足の基端部７０２を綴じ足取付部６ｘ１に重合させてから挿し通し、係合部６ｘ２に沿って綴じ足７０全体を移動させて、綴じ足の基端部７０２を係合部６ｘ２の端部に係り合わせ、綴じ足本体７０１を内取付孔６ａに挿し通すことにより、綴じ足の基端部７０２を前記綴じ足固定部６ｘ２の位置に固定することができるようにする実施態様が考えられる。この実施態様では、基端部７０２を前記基端部取付部６ｘ１と重合させてこの基端部７０２と外取付孔６ｘとの係り合いを解除し、綴じ足本体７０１を繰り出して基端部７０２と内取付孔６ａとを係り合わせるようにして、綴じ足７０の有効長さを延長できるようにしている。そして、基端部７０２を再び外取付孔６ｘに係り合わせて綴じ足７０の有効長さを短縮できるようにもしている。このように構成すると、前記外取付孔６ｘの係合部６ｘ２に沿って綴じ足７０全体を移動させて綴じ足の基端部７０２を係合部６ｘ２の端部に係り合わせるので、拡開して設けた綴じ足７０の基端部７０２が外れにくい。また、この実施態様では、前記綴じ足取付部６ｘ１と前記綴じ足７０の基端部７０２とが略同一の形状をなすので、これらを重合させることにより綴じ足７０の取り付け及び取り外しを簡単に行うことができる。なお、ここで述べた外取付孔６ｘに、図３に示した綴じ足７等、図１２で述べた以外の基端部を拡開して設けた形状の綴じ足を係り合わせるようにしてもよい。なお、図１３において紙葉類は省略して示している。
【００４５】
そして、本発明に係る綴じ足のさらに他の一つは、図１４に示すような綴じ足７０’である。この綴じ足７０’は、側面視略「く」の字状に屈曲した板状の基端部７０２’の略中央部から綴じ足本体７０１’を延ばして形成してある。さらに、図１５に示すように、この綴じ足７０’を取り付ける外取付孔６ｘを図１３に示したものと略同様の構成としてもよい。この場合前記外取付孔６ｘの綴じ足取付部６ｘ１は綴じ足７０’の基端部７０２’よりも小さくし、基端部７０２’の面板部がこの綴じ足取付部６ｘ１に重合した状態でこの綴じ足取付部６ｘ１を通過し得ないようにするとなおよい。このような綴じ足７０’及び外取付孔６ｘを用いて、綴じ足の基端部７０２’を基板部に対して角度を付けて綴じ足取付部６ｘ１に挿し通し、綴じ足７０’を係合部６ｘ２に沿って移動させ、綴じ足本体７０１’を内取付孔６ａに挿し通すことにより、綴じ足の基端部７０２’を前記係合部６ｘ２の端部に係り合わせる実施態様が考えられる。この実施態様では、基端部７０２’は 側面視略「く」の字状に屈曲しているので、前記係合部６ｘ２の端部に係り合わせた状態では基板部６とわずかな隙間が形成されている。この隙間の部分から基端部７０２’に指を掛ける等して基端部７０２と基板部６との間に十分な角度を設け、基端部７０２’の基板６と反対側の縁部を押すなどして基端部７０２’を綴じ足取付部６ｘ１から押し出すとこの綴じ足７０’の基端部７０２’と外取付孔６ｘとの係り合いを解除できる。そして綴じ足７０’の基端部７０２’と外取付孔６ｘとの係り合いを解除してから綴じ足本体７０１’を繰り出して基端部７０２’と内取付孔６ａとを係り合わせるようにして、綴じ足７０’の有効長さを延長できる。さらに、基端部７０２’を再び外取付孔６ｘに係り合わせて綴じ足７０’の有効長さを短縮できるようにもしている。このように構成すると、綴じ足７０’の基端部７０２’と基板部６との間に角度をつけない限り綴じ足７０’の基端部７０２’は外取付孔６ｘの綴じ足取付部６ｘ１を通過できないので、紙葉類を追加する際等にも誤って綴じ足７０’と外取付孔６ｘとの掛かり合いが外れてしまうことを起こりにくくできる。なお、図１５において紙葉類は省略して示している。
【００４６】
以上に述べた種々の実施態様において、綴じ足全体を引き抜いてから綴じ足の基端部の取付位置を選択し、改めて綴じ足を基板部に取り付けるようにしてももちろんよい。
【００４７】
なお、本発明は上述した実施形態に限られない。
例えば取付孔を３対以上設け、綴じ足の有効長さを３段階以上に伸縮できるようにしてももちろんよい。
また、裏表紙５を折り込んで基板部６を設ける代わりに、裏表紙５の紙葉類の綴じ元側の縁部をそのまま基板部６としてもよいし、表表紙２を折り込んで押さえ板部３を設ける代わりに表表紙２の紙葉類の綴じ元側の縁部をそのまま押さえ板部３としてもよい。
【００４８】
さらに、押さえ板３そのものを省略してもよいし、綴じ足係止部８を必ずしも表表紙２に固定する必要もない。
【００４９】
そして、背表紙４の幅を調整可能にする必要もない。この場合には、背表紙４の裏側から基板部６を内方に突出させて設けるようにしてもよい。
【００５０】
この他にも、本発明はファイルのみならず、細長い板状をなす基板部と綴じ足係止部とで紙葉類を挟み込む綴じ具全般に適用できる。
【００５１】
加えて、綴じ足係止部も、上述した実施形態で述べたもの以外にも、例えば図１２に示すように、ベース部材８２と１対のスライダ８１を備えた綴じ足係止部８を用いてもよい。このような綴じ足係止部８においては、図１６に示すように、ベース部材８２に折り曲げた綴じ足７を収納する溝８２ａを設け、また溝８２ａにさらに綴じ足本体７１の溝７１ａと噛み合うように構成した突条８２ａ１を設けるとよい。
【００５２】
さらに、紙葉類に上述したような綴じ足を複数対挿し通すようにして、取付孔を綴じ足の本数の複数倍だけ設けるような実施態様も考えられる。
【００５３】
【発明の効果】
本発明は、以上に詳述したように、綴じ足の有効長さを伸縮可能としているので、綴じ足の有効長さを紙葉類を綴じこむのに十分なだけ確保しつつ紙葉類からはみ出さないようにして見栄えをよくし、かつ収納等の際邪魔にならないようにでき、さらに挟み込む紙葉類の量及び綴じ足を固定した際の綴じ足の向きに関わらず使い勝手の向上を図ることができる。
【図面の簡単な説明】
【図１】本発明の位置実施形態に係る綴じ具を用いたファイルの斜視図。
【図２】同実施形態に係る綴じ具を用いたファイルの分解斜視図。
【図３】同実施形態に係る綴じ具を用いたファイルの綴じ足を示す（ａ）平面図、（ｂ）横断面図。
【図４】同実施形態に係る綴じ具を用いたファイルの綴じ足係止部の開放状態を示す（ａ）平面図、（ｂ）側面図。
【図５】同実施形態に係る綴じ具を用いたファイルの綴じ足係止部の閉止状態を示す（ａ）平面図、（ｂ）側面図。
【図６】同実施形態に係る綴じ具を用いたファイルの綴じ足の取り付け部分を示す図。
【図７】同実施形態に係る綴じ具を用いたファイルの綴じ足を係止した状態を示す図。
【図８】本発明の他の実施形態に係る綴じ具を用いたファイルの綴じ足を示す（ａ）平面図、（ｂ）側面図、（ｃ）正面図、（ｄ）横断面図。
【図９】本発明の他の実施形態に係る綴じ具を用いたファイルの綴じ足の取り付け部分を示す図。
【図１０】本発明の他の実施形態に係る綴じ具を用いたファイルの綴じ足を示す（ａ）平面図、（ｂ）側面図、（ｃ）正面図、（ｄ）横断面図。
【図１１】本発明の他の実施形態に係る綴じ具を用いたファイルの綴じ足の取り付け部分を示す図。
【図１２】本発明の他の実施形態に係る綴じ具を用いたファイルの綴じ足を示す（ａ）平面図、（ｂ）側面図、（ｃ）正面図、（ｄ）横断面図。
【図１３】本発明の他の実施形態に係る綴じ具を用いたファイルの綴じ足の取り付け部分を示す図。
【図１４】本発明の他の実施形態に係る綴じ具を用いたファイルの綴じ足を示す（ａ）平面図、（ｂ）側面図、（ｃ）正面図、（ｄ）横断面図。
【図１５】本発明の他の実施形態に係る綴じ具を用いたファイルの綴じ足の取り付け部分を示す図。
【図１６】本発明の他の実施形態に係る綴じ具を用いたファイルの綴じ足係止部を示す（ａ）平面図、（ｂ）側面図。
【図１７】従来の綴じ具を用いたファイルを示す図。
【符号の説明】
Ｆ…ファイル
１…綴じ具
２…表表紙
３…押さえ板部
４…背表紙
５…裏表紙
６…基板部
６ａ…内取付孔（取付孔）
６ｂ、６ｘ…外取付孔（取付孔）
６ｘ１…綴じ足取付部
６ｘ２…係合部
６ｃ…中取付孔（取付孔）
７、７’、７”、７０、７０’…綴じ足
８…綴じ足係止部
７１、７１’、７１”、７０１、７０１’…綴じ足本体
７２、７２’、７２”、７０２、７０２’…綴じ足の基端部
７２ａ’…係合溝
７２３”…舌片
Ｐ…紙葉類
ＰＳ…綴じ元側の縁部
【図１】
0004132903.tif 000002
【図２】
0004132903.tif 000003
【図３】
0004132903.tif 000004
【図４】
0004132903.tif 000005
【図５】
0004132903.tif 000006
【図６】
0004132903.tif 000007
【図７】
0004132903.tif 000008
【図８】
0004132903.tif 000009
【図９】
0004132903.tif 000010
【図１０】
0004132903.tif 000011
【図１１】
0004132903.tif 000012
【図１２】
0004132903.tif 000013
【図１３】
0004132903.tif 000014
【図１４】
0004132903.tif 000015
【図１５】
0004132903.tif 000016
【図１６】
0004132903.tif 000017
【図１７】
0004132903.tif 000018